(57)【要約】【課題】  移動音源用可視型防音壁において、音源側からの騒音の連結体５による反射を防止して、受音側の騒音を低減する。【解決手段】  本発明の移動音源用可視型防音壁１は、移動体の移動方向に沿って設けられた壁基部２と、前記壁基部２の上に移動体の移動方向に沿って並べて設置される複数の防音体３と、互いに隣り合う前記防音体３と防音体３との間に形成される開口４と、を有する。連結体５が、前記開口４の上側に位置し、かつ、前記防音体３同士を連結するように設けられる。前記連結体５の少なくとも前記開口４側には、吸音材（吸音体）１２が設けられる。【選択図】    図１
2005030116.tif 000002
【特許請求の範囲】
【請求項１】
移動体の移動方向に沿って設けられた壁基部と、
前記壁基部の上に移動体の移動方向に沿って並べて設置される複数の防音体と、
互いに隣り合う前記防音体と防音体との間に形成される開口と、
前記開口の上側に位置し、前記防音体同士を連結する連結体と、
前記連結体の少なくとも前記開口側に設けられる吸音体と、
を少なくとも有する、移動音源用可視型防音壁。
【請求項２】
請求項１に記載の移動音源用可視型防音壁であって、前記壁基部に吸音体が設けられていることを特徴とする、移動音源用可視型防音壁。
【請求項３】
請求項１又は請求項２に記載の移動音源用可視型防音壁であって、
前記開口が、前記連結体に近づくに従って移動体の移動方向に沿う幅が増大する形状である、
移動音源用可視型防音壁。
【請求項４】
請求項１から請求項３までの何れか一項に記載の移動音源用可視型防音壁であって、前記連結体の前記開口側と反対側にも吸音体が設けられることを特徴とする、移動音源用可視型防音壁。
【請求項５】
請求項４に記載の移動音源用可視型防音壁であって、前記連結体の移動体側、移動体と反対側にも吸音体が設けられることを特徴とする、移動音源用可視型防音壁。
【請求項６】
請求項１から請求項５までの何れか一項に記載の移動音源用可視型防音壁であって、連結体の幅が吸音対象の音の波長の0.8倍より長いことを特徴とする、移動音源用可視型防音壁。
【請求項７】
請求項１から請求項６までの何れか一項に記載の移動音源用可視型防音壁であって、連結体の幅が吸音対象の音の波長より長いことを特徴とする、移動音源用可視型防音壁。
【請求項８】
請求項１から請求項７までの何れか一項に記載の移動音源用可視型防音壁であって、高架橋に設置されることを特徴とする、移動音源用可視型防音壁。
【請求項９】
一方向に並べて設置される複数の防音体と、
互いに隣り合う前記防音体と防音体との間に形成される開口と、
各防音体を連結する、前記防音体の並設方向に細長い枠部と、
前記枠部の少なくとも前記開口側に設けられる吸音体と、
を少なくとも有する、防音ユニット。
【請求項１０】
請求項９に記載の防音ユニットであって、更に、前記防音体が並べて設置される方向に沿う壁基部を有することを特徴とする、防音ユニット。
【請求項１１】
請求項１０に記載の防音ユニットであって、前記壁基部に吸音体が設けられていることを特徴とする、防音ユニット。
【請求項１２】
請求項９から請求項１１までのいずれか一項に記載の防音ユニットであって、
前記開口の形状は、前記防音体の並設方向に沿う幅が、前記吸音体に近づくに従って増大する形状である、
防音ユニット。
【請求項１３】
請求項９から請求項１２までの何れか一項に記載の防音ユニットであって、前記枠部の前記開口側と反対側にも吸音体が設けられることを特徴とする、防音ユニット。
【請求項１４】
請求項９から請求項１３までの何れか一項に記載の防音ユニットであって、前記枠部の、前記防音体の厚み方向両端側にも吸音体が設けられることを特徴とする、防音ユニット。
【請求項１５】
請求項９から請求項１４までの何れか一項に記載の防音ユニットであって、連結体の幅が吸音対象の音の波長の0.8倍より長いことを特徴とする、防音ユニット。
【請求項１６】
請求項９から請求項１５までの何れか一項に記載の防音ユニットであって、連結体の幅が吸音対象の音の波長より長いことを特徴とする、防音ユニット。
【発明の詳細な説明】
【技術分野】
【０００１】
本発明は、自動車や列車等の車窓からの視認性を良好に確保しながら、当該自動車等の移動音源から防音壁外側に漏出する騒音を低減する、移動音源用可視型防音壁に関するものである。
【背景技術】
【０００２】
従来から、音源からの騒音を防音壁外側に漏出させないように構成された各種の防音壁が、提案及び実用化されている。例えば、特許文献１は、搭乗者の防音壁外側への目視を可能にする視通開口部（開口）を前記移動体の移動方向に沿って所定間隔で備える、移動音源用可視型防音壁を開示する。
【０００３】
特許文献１では、この技術の利点を以下のように指摘する。即ち、移動体の移動方向に沿って所定間隔で備えられた視通開口部が搭乗者に対して連続的に短期間で通過するため、防音壁外側の景色を残像効果によって良好に視認できる。また、視通開口部を太陽光が通過する構成とできるため、移動体が移動する路線に隣接して民家が存在する場合に、その民家に対する日照時間を長くすることができる。加えて、透明パネル等の構成に比し、汚れや傷を回避でき、清掃や交換等の維持コストを生じることがない。
【特許文献１】特開２００１−６４９２０号公報（図１（ａ）等）
【発明の開示】
【発明が解決しようとする課題】
【０００４】
このような可視型防音壁は屋外に設置されるものであるため、風の影響を受けやすい。従って、風荷重に対する強度を十分確保する必要がある。本発明の目的は、騒音低減効果を十分確保しながら、強度に優れる可視型防音壁を提供することにある。
【課題を解決するための手段】
【０００５】
本発明の解決しようとする課題は以上の如くであり、次にこの課題を解決するための手段とその効果を説明する。
【０００６】
即ち、第１の発明の移動音源用可視型防音壁は、移動体の移動方向に沿って設けられた壁基部と、前記壁基部の上に移動体の移動方向に沿って並べて設置される複数の防音体と、互いに隣り合う前記防音体と防音体との間に形成される開口と、前記開口の上側に位置し、前記防音体同士を連結する連結体と、前記連結体の少なくとも前記開口側に設けられる吸音体と、を少なくとも有することを特徴とする。
【０００７】
この構成により、連結体によって防音体同士を連結することで、防音壁の強度を向上させることができ、意匠性の向上も期待できる。また、移動体からの騒音（連結体の高さより低い高さより発する騒音）の連結体での反射を防止でき、受音側での騒音を抑制することができる。
【０００８】
第２の発明の移動音源用可視型防音壁は、前記壁基部に吸音体が設けられていることを特徴とする。
【０００９】
この構成により、吸音面が増大するので、騒音抑制効果に一層優れる移動音源用可視型防音壁を提供できる。
【００１０】
第３の発明の移動音源用可視型防音壁は、前記開口が、前記連結体に近づくに従って移動体の移動方向に沿う幅が増大する形状であることを特徴とする。
【００１１】
上記構成のような形状の開口を有する場合、騒音（連結体の高さより低い高さより発する騒音）の連結体での反射が大きくなることが懸念されるが、本構成とすることで、連結体での騒音反射を効果的に低減でき、受音側での騒音を抑制することができる。
【００１２】
第４の発明の移動音源用可視型防音壁は、前記連結体の前記開口側と反対側にも吸音体が設けられることを特徴とする。
【００１３】
この構成により、連結体の高さよりも高い高さから発する移動体の騒音を良好に吸収でき、受音側での騒音を抑制することができる。
【００１４】
第５の発明の移動音源用可視型防音壁は、前記連結体の移動体側、移動体と反対側にも吸音体が設けられることを特徴とする。
【００１５】
この構成により、騒音抑制効果に一層優れる移動音源用可視型防音壁を提供できる。
【００１６】
第６の発明の移動音源用可視型防音壁は、連結体の幅が吸音対象の音の波長の0.8倍より長いことを特徴とする。
【００１７】
この構成により、連結体の高さよりも高い高さから発する移動体の騒音（吸音対象の音）を、連結体の開口側と反対側の部分で反射させ易い構成とでき、騒音抑制効果に優れる。
【００１８】
第７の発明の移動音源用可視型防音壁は、連結体の幅が吸音対象の音の波長より長いことを特徴とする。
【００１９】
この構成により、連結体の高さよりも高い高さから発する移動体の騒音（吸音対象の音）を、連結体の開口側と反対側の部分で一層反射させ易い構成とでき、騒音抑制効果に優れる。
【００２０】
第８の発明の移動音源用可視型防音壁は、高架橋に設置されることを特徴とする。
【００２１】
この構成により、移動体からの騒音（連結体の高さより低い高さより発する騒音）が連結体に反射して防音壁より低い高さの領域に到達することを、前記吸音体によって防止できる。この結果、高架橋より低い高さの民家等に対する騒音を効果的に低減できる。
【００２２】
第９の発明の防音ユニットは、一方向に並べて設置される複数の防音体と、互いに隣り合う前記防音体と防音体との間に形成される開口と、各防音体を連結する、前記防音体の並設方向に細長い枠部と、前記枠部の少なくとも前記開口側に設けられる吸音体と、を少なくとも有することを特徴とする。
【００２３】
この構成により、防音体毎ではなく、複数の防音体を一体化した防音ユニット毎に取り扱うことができるので、設置の手間を軽減でき、施工性が向上する。また、枠部により、防音ユニットの強度を向上させることができる。更に、防音ユニットの設置後は、移動体からの騒音（連結体の高さより低い高さより発する騒音）の枠部での反射を防止でき、受音側での騒音を抑制することができる。
【００２４】
第１０の発明の防音ユニットは、更に、前記防音体が並べて設置される方向に沿う壁基部を有することを特徴とする。
【００２５】
この構成により、防音体のみならず壁基部まで一体化させた防音ユニットとすることで、設置の手間を軽減でき、施工性に一層優れる。
【００２６】
第１１の発明の防音ユニットは、前記壁基部に吸音体が設けられていることを特徴とする。
【００２７】
この構成により、吸音面が増大するので、騒音抑制効果を一層向上させることができる。
【００２８】
第１２の発明の防音ユニットは、前記開口の形状は、前記防音体の並設方向に沿う幅が、前記吸音体に近づくに従って増大する形状であることを特徴とする。
【００２９】
上記のような形状の開口を有する場合、騒音（連結体の高さより低い高さより発する騒音）の枠部での反射が大きくなることが懸念されるが、本構成とすることで、枠部での騒音反射を効果的に低減でき、受音側での騒音を抑制することができる。
【００３０】
第１３の発明の防音ユニットは、前記枠部の前記開口側と反対側にも吸音体が設けられることを特徴とする。
【００３１】
この構成の防音ユニットは、高架橋などに設置したときに、枠部の高さよりも高い高さから発する移動体の騒音を良好に吸収でき、受音側での騒音を抑制することができる。
【００３２】
第１４の発明の防音ユニットは、前記枠部の、前記防音体の厚み方向両端側にも吸音体が設けられることを特徴とする。
【００３３】
この構成とすることにより、騒音抑制効果が一層向上する防音ユニットとすることができる。
【００３４】
第１５の発明の防音ユニットは、連結体の幅が吸音対象の音の波長の0.8倍より長いことを特徴とする。
【００３５】
この構成の防音ユニットは、高架橋などに設置したときに、枠部の高さよりも高い高さから発する移動体の騒音（吸音対象の音）を、枠部の開口側と反対側の部分で反射させ易い構成とでき、騒音抑制効果に優れる。
【００３６】
第１６の発明の防音ユニットは、連結体の幅が吸音対象の音の波長より長いことを特徴とする。
【００３７】
この構成の防音ユニットを高架橋などに設置したときに、枠部の高さよりも高い高さから発する移動体の騒音（吸音対象の音）を、枠部の開口側と反対側の部分で一層反射させ易い構成とでき、騒音抑制効果に優れる。
【発明を実施するための最良の形態】
【００３８】
次に、発明の実施の形態を説明する。
図１は本発明の一実施形態に係る移動音源用可視型防音壁の全体的な構成を示した斜視図、図２は図１のＡ−Ａ断面矢視図、図３は連結体に設置される吸音材を詳細に示す一部切欠斜視拡大図である。
【００３９】
本実施形態における移動音源用可視型防音壁１は、図１に示すように、車両等の移動体（音源）の移動方向に沿って設けられた壁基部２と、この壁基部２の上に移動体の移動方向に沿って並べて設置される複数の防音体３と、を備えている。壁基部２は、例えば、移動体の走行路としての高架橋の幅方向端部から垂直に立ち上げられた側壁として構成される。
【００４０】
それぞれの防音体３は、一様な厚みを有するとともに、移動体側（音源側）からみて、前記壁基部２側を底辺とする二等辺三角形状に形成されている。即ち、防音体３は、壁基部２から上側に行くに従って（後述の連結体５に近づくに従って）、移動体の移動方向に沿った幅が狭くなる形状に形成されている。
【００４１】
防音体３は、下端部（二等辺三角形の底辺部分）が間断なく連続するように隙間なく連結されながら、移動体の移動方向に並べて配設される。互いに隣り合う前記防音体３と防音体３との間には開口４が形成され、移動体の搭乗者は、この開口４を通じて防音壁１の外側を良好に視認でき、流れる景色を楽しむことができる。前記開口４は、「Ｖ」字状、即ち、上に行くに従って、移動体の移動方向に沿う幅が増大する形状に構成されている。
【００４２】
それぞれの防音体３の頂部同士は、移動体の移動方向に沿って細長く形成された連結体５によって、相互に連結されている。この連結体５は、開口４の上側に設置されている。
【００４３】
この連結体５が設けられていることで、防音壁１としての強度が向上されている。即ち、各防音体３は上側が先細状に形成されており、頂部に近づくにつれて強度が低下する形状であるが、各防音体３の頂部同士を連結体５で連結することで、強度に優れた防音壁１を得ることができる。また、連結体５を設けることで、意匠性が高くあるいは景観にマッチした防音壁１の外観を得ることができる。
【００４４】
図１のＡ−Ａ断面矢視図である図２を参照しながら、防音体３の構成について詳細に説明する。
【００４５】
防音体３は、その移動体側（音源側）の面、及び、移動体の移動方向両側の面が、鋼板やアルミニウム板等のカバー板６によって覆われている。
【００４６】
防音体３の移動体と反対側（以下「受音側」と称する）の面は、遮音板７によって覆われている。これらカバー板６と遮音板７によって、防音体３のハウジングが中空状に構成されている。カバー板６は小孔を多数穿孔させた所謂パンチングメタルに形成され、移動体からの騒音をハウジングの内部空間に通過させるようにしている。ハウジングの内部空間の中央には、防音体３の剛性を向上させるための支柱８が、上下方向に設置されている。
【００４７】
前記カバー板６の両側は受音側に折り曲げられて、防音体３における、移動体の移動方向両側を覆うようにしている。カバー板６と遮音板７との間には空間が形成され、この空間（前記ハウジングの内部空間）には、吸音材９が設置されている。吸音材９は、耐久性の向上（防水）のために、薄いフィルム１０で覆われている。このフィルム１０は、強度及び対候性に優れ、かつ吸音性を劣化させない材料を用いることが望ましい。例えばポリフッ化ビニル樹脂などを用いることができる。ただし、吸音材９をフィルム１０の代わりに多孔板で覆う構成としても良い。
【００４８】
防音体３の内部空間に設置される吸音材９としては、例えば多孔質材料、ポアセルコンクリート、発泡金属、グラスウール、金属繊維（スチールウール）等、あらゆる吸音材が適用可能である。また、防音体３の中空部に吸音材９を充填させずに空気層のままとしたり、吸音材９の代わりに多数の多孔板を厚さ方向に所定間隔で設ける構成としても良い。
【００４９】
前記遮音板７としては、例えば、金属、樹脂等の板を使用することができ、十分な剛性が得られる限りは特に限定されない。また、防音体３の剛性を増大させるために、防音体３の内部空間に突出するようなリブを設けても良い。
【００５０】
前記連結体５は、図３の拡大斜視図に示すように、下側開放状の断面略「コ」字状に形成されている。この下側を覆うように、パンチングメタル製の下板１１が連結体５に固着される。こうして形成される連結体５内の内部空間に、吸音材（吸音体）１２が設置される。この吸音材（吸音体）１２は防音体３の前記吸音材９と同様に、例えば多孔質材料、ポアセルコンクリート、発泡金属、グラスウール、金属繊維（スチールウール）等、あらゆる吸音材が適用可能である。また、連結体５の内部空間に吸音材１２を充填させずに空気層のままとしたり、吸音材１２の代わりに多数の多孔板を厚さ方向に所定間隔で設ける構成としても良い。
【００５１】
吸音材１２は、耐久性の向上（防水）のために、薄いフィルム１３で覆われている。このフィルム１３は、防音体３の吸音材９を覆うフィルム１０と同様、例えばポリフッ化ビニル樹脂などを用いることができる。
【００５２】
このように、開口４の上側に設置される連結体５に吸音材１２を設けたことで、移動体からの騒音が連結体５の下面に到達しても、当該下面で反射させず吸音することができ、受音側での騒音を抑制することができる。この効果は、開口４が、前記連結体５に近づくに従って移動体の移動方向に沿う幅が増大する形状であるときに、特に顕著に発揮される。
【００５３】
なお、本発明の効果は、以下に説明する音響数値シミュレーションによって裏付けられている。図４はシミュレーションのモデルの形状を示す図、図５はシミュレーションの結果を示す図、図６は評価点での騒音の周波数応答を示すグラフ図である。
また、図７は、騒音が防音壁より高い高さから発せられる場合の、評価点での騒音の周波数応答を示すグラフ図である。
【００５４】
図４に示すように、高架橋を鉛直面で切り取ったモデルを考える。高架橋のモデルの各寸法は、メートル単位で図４に示してある。高架橋のモデルにおいて受音側の一端には、高さ２メートルの壁基部（側壁）２が垂直に形成されている。この壁基部２の音源側を向く面の上端から１メートルの部分には、全吸音型の吸音パネルが設置される。
【００５５】
壁基部２の上に設置される防音体３の高さは、１メートルに設定されている。従って、前記開口４の上下方向長さ（壁基部２の上端と連結体５との間の間隔）も、１メートルということになる。また、連結体５の幅は、0.2メートルに設定されている。
【００５６】
このモデルにおいて、高架橋の路面に無指向性音源を設置した場合について、解析を実施した。無指向性音源は、壁基部２から２メートル内側、路面から0.1メートルの高さに設置した。解析は、（ａ）連結体５がない場合、（ｂ）連結体５がある場合、（ｃ）連結体５があり且つその下面に吸音材１２が設置してある場合、の３つの場合について行った。
【００５７】
連結体５がない場合、即ち、防音体３のみが壁基部２上に並設されている場合の解析結果が図５（ａ）に示される。また、連結体５が取り付けられているが図３に示すような吸音材１２を設置していない場合の解析結果が図５（ｂ）に示される。なお、図の円の大きさは音圧の大きさを示す。
【００５８】
（ｂ）の連結体５がある場合は、（ａ）の連結体５がない場合に比べ、連結体５の下面の反射によって受音側の音圧が上昇しているのが判る。
【００５９】
更に、連結体５の下面を吸音させる本発明の構成の解析結果を（ｃ）に示す。この（ｃ）の図から、連結体５による反射の影響が低減され、騒音が改善されていることがわかる。
【００６０】
図６には、前記（ａ）（ｂ）（ｃ）のそれぞれにおける、高架橋端から20ｍ離れた1.2ｍ高さの評価点（図４に示す）における騒音レベル値の周波数応答（シミュレーション結果）が示される。この図６から、（ｂ）の連結体５を設置した場合は、（ａ）の連結体５を設置していない場合に比し、当該連結体５による反射の影響によって、特に略1500Ｈｚ以上の周波数（騒音のうち、連結体５の幅より波長が短い成分）において音圧レベル値が大幅に上昇していることが判る。一方、（ｃ）の連結体５の下面を吸音させる本発明の構成とすると、評価点における略1500Ｈｚ以上の周波数の騒音を、連結体５を設置していない（ａ）の場合程度に抑制できていることが判る。
【００６１】
また、壁基部２について、防音体３と同様の構造、即ちカバー板６の内部に吸音体としての吸音材９を設ける構造としても良い。あるいは、壁基部２の表面に、吸音機能を有するパネル等（吸音体）を設置しても良い。この場合は、騒音抑制効果を一層優れたものとすることができる。
【００６２】
また、前記連結体５において、前記開口４側と反対側に吸音体を設ける構成としても良い。例えば、連結体５の上面に、吸音効果を有する部材を貼り付けることが考えられる。また、前記下板１１に設けられているような多数の貫通状の小孔を、連結体５の上面にも同様に設けることで、吸音材１２による吸音面を連結体５の下側のみならず上側にも構成し、連結体５の開口４側と反対側に吸音体を特別に設けるのと実質的に同様の効果を奏させるものでもよい。
【００６３】
この場合、防音壁１より高い高さから発せられる騒音（例えば、移動体が鉄道車両である場合のパンタグラフの風切り音や、移動体が自動車である場合のその上部排気音）が連結体５の上面に到達した場合でも、前記吸音体によって吸収することができ、更なる騒音低減効果を期待できる。図７には、無指向性音源を防音壁１の連結体５よりも高い高さ（5.3メートル）に設置した場合の、高架橋端から20ｍ離れた1.2ｍ高さの評価点（図４に示す）における騒音レベル値の周波数応答（シミュレーション解析結果）が示される。
【００６４】
解析は、（ｄ）連結体５がない場合、（ｅ）連結体５がある場合、（ｆ）連結体５があり、かつその上面に吸音材が設置してある場合、の３つの場合について行った。
この図７に示すように、連結体５がない場合（ｄ）よりも連結体５のある場合（ｅ）の方が、若干の騒音改善効果が見られる。これは、連結体５の上面に騒音が反射する効果（連結体５により騒音を遮蔽する効果）が現れたものと考えられる。また、連結体５の上面に吸音材が設置してある場合（ｆ）は、その吸音効果により、騒音が一層改善されていることが判る。
【００６５】
なお、連結体５がある場合は、その連結体５の幅（防音壁１もしくは防音体３の厚み方向の幅）を、吸音すべき対象の音（例えば、パンタグラフの風切り音）の波長の0.8倍以上とするのが、騒音を連結体５の上面で反射させ易くなって好ましい。また、上記観点からすると、連結体５の幅は吸音対象の音の波長の1倍以上とすると一層好ましい。これは、後述の防音ユニット１００の上側フレーム枠５ａの、幅（防音ユニット１００もしくは防音体３の厚み方向の幅）についても同様である。
【００６６】
また、連結体５の下面（開口４側の面）及び上面（開口４と反対側の面）のみならず、内側の面（移動体側を向く面）や、外側の面（移動体と反対側を向く面）にも、吸音体を設けて良い。この場合、より一層の吸音効果が期待できる。
【００６７】
図８には、本発明を防音ユニットに適用した構成が示される。この防音ユニット１００は、四縁をフレーム枠５ａ・５ｂ・５ｃ・５ｄで囲まれた内部に、防音体３，３’を一方向に並べて設置した構成としている。防音体３の構成は、前記実施例（図１等に図示）の防音体３と同様の構造である。防音ユニット１００の両端に設置される防音体３’は、防音体３の二等辺三角形を中央で二等分した、直角三角形状とされる。
【００６８】
防音体３，３’は、その一端側（二等辺三角形あるいは直角三角形の底辺部分）が間断なく連続するように隙間なく連結されながら、下側フレーム枠５ｄに固定される。互いに隣り合う前記防音体３と防音体３（３’）との間には開口４が形成され、この開口４を通じて移動体たる車両の窓から外側を視認できるようになっている。前記開口４は、「Ｖ」字状、即ち、上側フレーム枠５ａに近づくに従って幅が増大する形状に構成されている。
【００６９】
それぞれの防音体３（３’）の頂部同士は、上側フレーム枠（枠部）５ａによって、相互に連結されている。このフレーム枠５ａは、防音体３，３’が並設される方向に細長く形成され、また、下側開放状の断面略「コ」字状に形成される。上側フレーム枠５ａの下側を覆うように、パンチングメタル製の下板１１が連結体５に固着される。こうして形成される連結体５内の内部空間に、吸音材（吸音体）１２が設置される。吸音材１２は、例えばポリフッ化ビニル樹脂などで形成された、フィルム１３で覆われる。
【００７０】
この防音ユニット１００は、高架橋等の既設の側壁の上に、移動体の移動方向に沿って複数並べて設置され使用される。防音体３毎ではなく、複数の防音体３，３’を一体化した防音ユニット１００毎に取り扱うことができるので、設置の手間を軽減でき、施工性が向上する。
【００７１】
また、防音ユニット１００を使用する場合、移動体からの騒音が上側フレーム枠５ａの下面に到達しても、当該下面で反射させず吸音することができ、受音側での騒音を抑制することができる。この効果は、開口４が、前記上側フレーム枠５ａに近づくに従って移動体の移動方向に沿う幅が増大する形状であるときに、特に顕著に発揮される。
【００７２】
なお、防音ユニット１００は、上側フレーム枠５ａのみで他のフレーム枠５ｂ・５ｃ・５ｄを省略する構成であっても良い。また、防音ユニット１００に、前記防音体３，３’の並べられる方向に細長い壁基部を更に備えさせた構成とすれば、防音体３，３’のほか壁基部をも一体として扱うことが可能となって、施工性が一層向上する。この場合、壁基部の内部に前記防音体３，３’と同じく吸音材９を備えさせたり、あるいは、壁基部の表面に、吸音機能を有するパネル等（吸音体）を設置すると、騒音抑制効果を一層優れたものとすることができる。
【００７３】
また、前記上側フレーム枠５ａにおいて、前記開口４側と反対側に吸音体を設ける構成としても良い。例えば、上側フレーム枠５ａの上面に、吸音効果を有する部材を貼り付けることが考えられる。また、前記下板１１に設けられているような多数の貫通状の小孔を、上側フレーム枠５ａの上面にも同様に設けることで、吸音材１２による吸音面を上側フレーム枠５ａの下側のみならず上側にも構成し、上側フレーム枠５ａの開口４側と反対側に吸音体を特別に設けるのと実質的に同様の効果を奏させるものでもよい。
【００７４】
この場合、防音ユニット１００を高架橋等に設置したときに、上側フレーム枠５ａより高い高さから発せられる騒音（例えば、パンタグラフの風切り音）が上側フレーム枠５ａの上面に到達した場合でも、前記吸音体によって吸収することができ、更なる騒音低減効果を期待できる。
【００７５】
また、上側フレーム枠５ａの下面（開口４側の面）及び上面（開口４と反対側の面）のみならず、前記防音体３，３’の厚み方向両端側（言い換えれば、移動体側すなわち音源側を向く面と、受音側を向く面の両方）に、吸音体を設けて良い。この場合、より一層の吸音効果が期待できる。
【００７６】
防音壁１・防音ユニット１００のいずれにおいても、前記開口４の形状は「Ｖ」字状（二等辺三角形状）に限られず、様々な形状を採用することができる。また防音体３，３’の形状も二等辺三角形状に限ることなく、隣り合う防音体との間に前記開口４を形成するものであれば、任意の形状を採用できる。
【００７７】
また、防音体３，３’や壁基部２の移動体側すなわち音源側のみならず、受音側に吸音体を設けて良い。例えば、前記遮音板７の代わりにカバー板６のようなパンチングメタルを使用することが考えられる。あるいは遮音板７を防音体３の内部空間を厚み方向に２分するように設け、当該遮音板７の音源側および受音側の双方に吸音材９を設置して、吸音材９を覆うようにカバー板６で音源側および受音側を覆うことが考えられる。これらの構成とすることで、一層の騒音抑制効果を期待できる。
【図面の簡単な説明】
【００７８】
【図１】本発明の一実施形態に係る移動音源用可視型防音壁の全体的な構成を示した斜視図。
【図２】図１のＡ−Ａ断面矢視図。
【図３】連結体に設置される吸音材を詳細に示す一部切欠斜視拡大図。
【図４】シミュレーションのモデルの形状を示す図。
【図５】シミュレーションの結果を示す図。
【図６】評価点での騒音の周波数応答を示すグラフ図。
【図７】騒音が防音壁より高い高さから発せられる場合の、評価点での騒音の周波数応答を示すグラフ図。
【図８】本発明の一実施形態に係る防音ユニットを示す斜視図。
【符号の説明】
【００７９】
１  移動音源用可視型防音壁
２  壁基部
３  防音体
４  開口
５  連結体
１２  吸音材（吸音体）
１００  防音ユニット
【図１】
2005030116.tif 000003
【図２】
2005030116.tif 000004
【図３】
2005030116.tif 000005
【図４】
2005030116.tif 000006
【図５】
2005030116.tif 000007
【図６】
2005030116.tif 000008
【図７】
2005030116.tif 000009
【図８】
2005030116.tif 000010